(57)【要約】【課題】敷設作業に要する時間を十分に短縮できる緑化施工用パネルを提供すること。【解決手段】本発明に係る緑化施工用パネルは、略矩形のパネル本体と、パネル本体の周縁と一致する方向に延びておりパネル本体の表面又は裏面に設けられた格子状の溝と、格子状の溝によって区画される矩形セルに設けられパネル本体を厚さ方向に貫通する排水孔と、矩形セル内であってパネル本体の表面に設けられた保水用凹部とを備える。【選択図】図１
2014117227.tif 000002
【特許請求の範囲】
【請求項１】
略矩形のパネル本体と、
前記パネル本体の周縁と一致する方向に延びており前記パネル本体の表面又は裏面に設けられた格子状の溝と、
前記格子状の溝によって区画される矩形セルに設けられ前記パネル本体を厚さ方向に貫通する排水孔と、
前記矩形セル内であって前記パネル本体の表面に設けられた保水用凹部と、
を備える緑化施工用パネル。
【請求項２】
前記格子状の溝は前記パネル本体の表面に設けられており、前記パネル本体の縦方向及び横方向に途切れることなく延びる第１の溝と、前記第１の溝の手前で途切れて前記第１の溝とは交差しない第２の溝とによって構成されている、請求項１に記載のパネル。
【請求項３】
前記矩形セルは、前記パネル本体の表面において当該矩形セルの対角線に沿うように延びており且つ当該対角線が交差する箇所に前記排水孔を有するリブ構造部を有し、当該矩形セルの周縁部及び前記リブ構造部以外の領域が前記保水用凹部である、請求項１又は２に記載のパネル。
【請求項４】
前記排水孔は前記矩形セルの対角線が交差する箇所に設けられており、前記矩形セルは前記パネル本体の裏面において前記対角線に沿うように延びており且つ前記対角線上において前記排水孔を挟むように設けられた隆起部を有する、請求項１〜３のいずれか一項に記載のパネル。
【請求項５】
屋上緑化施工に使用するためのものである、請求項１〜４のいずれか一項に記載のパネル。
【請求項６】
施工面上に敷設される不透水性シートと、
前記不透水性シート上に敷設される請求項１〜５のいずれか一項に記載のパネルと、
前記パネル上に敷設される透水性シートと、
前記透水性シート上に敷設される土壌と、
を備える緑化システム。
【請求項７】
施工面上に不透水性シートを敷設する工程と、
前記不透水性シート上に請求項１〜５のいずれか一項に記載のパネルを敷設する工程と、
前記パネル上に透水性シートを敷設する工程と、
前記透水性シート上に土壌を敷設する工程と、
前記土壌に植物を植える工程と、
を備える緑化施工方法。
【発明の詳細な説明】
【技術分野】
【０００１】
本発明は植栽技術に関し、より詳しくは緑化施工用パネル並びにこれを用いた緑化システム及び緑化施工方法に関する。
【背景技術】
【０００２】
都市部におけるヒートアイランド現象を緩和するとともに大気汚染物質を浄化する環境技術として、市街地の緑化、特に屋上緑化への関心が高まっている。緑化技術は上記のような効果に加え、緑が人の心を和ませ、緑化スペースが人々の憩いの場となるという効果も併せ持つ。従来、緑化施工において盛土の下に保水機能を有する緑化施工用パネルを埋設することが知られている。下記特許文献１には多数の凹部を有する植物植生用パネルが記載されている。
【先行技術文献】
【特許文献】
【０００３】
【特許文献１】特許第２５９８３８６号公報
【発明の概要】
【発明が解決しようとする課題】
【０００４】
ところで、例えば商業施設の屋上を緑化する場合、施工期間をなるべく短くしたいという要望がある。本発明者らは、緑化システムを完成させるまでの各工程を見直し、時間を短縮し得る作業がないか検討を行った。その結果、緑化施工用パネルを敷設する工程に改善の余地があることを見出した。
【０００５】
本発明は、本発明者らの上記検討に基づいてなされたものであり、敷設作業に要する時間を十分に短縮できる緑化施工用パネル、並びにこれを用いた緑化システム及び緑化施工方法を提供することを目的とする。
【課題を解決するための手段】
【０００６】
本発明に係る緑化施工用パネル（以下、場合により単に「パネル」という。）は、略矩形のパネル本体と、パネル本体の周縁と一致する方向に延びておりパネル本体の表面又は裏面に設けられた格子状の溝と、格子状の溝によって区画される矩形セルに設けられパネル本体を厚さ方向に貫通する排水孔と、矩形セル内であってパネル本体の表面に設けられた保水用凹部とを備える。ここでいう「略矩形」とは四つの角がいずれも直角である四角形（具体的には正方形及び長方形）あるいは機能の点から当該四角形と実質的に同視し得る形状を意味する。
【０００７】
施工面上にパネルを敷設する工程においては、所定の大きさのパネル（例えば、縦１ｍ×横１ｍ）を敷き詰めていき、施工面の周縁部についてはパネルを切断してサイズや形状を調整する。従来のパネルは定規とカッターを使用して切断していた。これに対し、本発明のパネルはパネル本体の表面又は裏面に格子状の溝を備えるため、この溝にカッターの刃を入れて当該溝に沿って切断できるので定規を使用する必要がない。これにより、パネルの切断作業を効率化でき、パネルの敷設作業に要する時間を短縮できる。なお、パネルの切断後、パネルの表裏をひっくり返さなくてよいという点から、格子状の溝はパネル本体の表面に設けられていることが好ましい。上記パネルの代表的な用途として屋上緑化施工が挙げられる。
【０００８】
格子状の溝をパネル本体の表面に設けた場合、当該格子状の溝はパネル本体の縦方向及び横方向に途切れることなく延びる第１の溝と、第１の溝の手前で途切れて第１の溝とは交差しない第２の溝とによって構成されていてもよい（図１参照）。かかる構成を採用することにより、格子状の溝を切断するための機能のみならず、水を分散させる機能及び保水する機能を持たせることができる。すなわち、隣接するパネルの第１の溝同士を連通させることで、あるパネルの第１の溝に到達した水をこの第１の溝を通じて隣のパネルへと導水して分散させることができる。他方、第２の溝は途中で途切れているため、第２の溝に到達した水をこの第２の溝に貯留できる。
【０００９】
上記格子状の溝によって区画される矩形セルは以下の構成のリブ構造部を有してもよい。すなわち、矩形セルはパネル本体の表面において当該矩形セルの対角線に沿うように延びており且つ当該対角線が交差する箇所に排水孔を有するリブ構造部を有し、当該矩形セルの周縁部及びリブ構造部以外の領域が保水用凹部であってもよい（図１参照）。上記構成の矩形セルを採用することで、厚さが比較的薄いパネル本体を採用してもパネルの機械的強度を十分に高くできる。薄いパネル本体はパネルの軽量化に寄与し、軽いパネルは特に屋上緑化施工にとって有用である。また高い機械的強度は運搬時や敷設作業時におけるパネルの破損を抑制する。
【００１０】
上記パネルにおいて、排水孔は矩形セルの対角線が交差する箇所に設けられており、矩形セルはパネル本体の裏面において対角線に沿うように延びており且つ対角線上において排水孔を挟むように設けられた隆起部を有してもよい（図２参照）。上記隆起部をパネル本体の裏面に設けて敷設面（後述の不透水性シート表面）とパネル裏面との間に隙間を設けることで、排水孔を通じてパネル本体の裏面側に流れ出た水の滞留を抑制できる。
【００１１】
本発明は上記パネルを用いた緑化システムを提供する。本発明の緑化システムは、施工面上に敷設される不透水性シートと、不透水性シート上に敷設される上記パネルと、このパネル上に敷設される透水性シートと、透水性シート上に敷設される土壌とを備える。本発明の緑化システムは上記パネルを採用しているため、十分に短い施工期間で構築できる。
【００１２】
本発明は上記緑化施工用パネルを用いた緑化施工方法を提供する。本発明の緑化施工方法は、施工面上に不透水性シートを敷設する工程と、不透水性シート上に上記パネルを敷設する工程と、このパネル上に透水性シートを敷設する工程と、透水性シート上に土壌を敷設する工程と、土壌に植物を植える工程とを備える。本発明の緑化施工方法によれば、上記パネルを敷き詰める際、施工面の大きさ又は形状に応じてパネルのサイズを簡単に調整でき、十分に短い施工期間で緑化施工を完了できる。
【発明の効果】
【００１３】
本発明によれば、施工面積の大きさ又は形状に応じて緑化施工用パネルのサイズを簡単に調整でき、緑化施工用パネルを敷設する作業に要する時間を十分に短縮できる。
【図面の簡単な説明】
【００１４】
【図１】本発明の一実施形態に係る緑化施工用パネルの表面を示す斜視図である。
【図２】図１に示す緑化施工用パネルの裏面を示す斜視図である。
【図３】図１に示す緑化施工用パネルの表面を示す平面図である。
【図４】図３のＩＶ−ＩＶ断面図である。
【図５】溝の断面形状の例を模式的に示す断面図である。
【図６】図３のＶＩ−ＶＩ断面図である。
【図７】図３のＶＩＩ−ＶＩＩ断面図である。
【図８】隣同士のパネルがジョイント部で接続された状態を示す断面図である。
【図９】本発明の緑化システムの一実施形態を示す断面図である。
【図１０】不透水性シート上にそのままのサイズのパネルを敷き詰めた状態を示す斜視図である。
【図１１】不透水性シート上にそのままのサイズのパネル及び切断されたパネルを敷き詰めた状態を示す斜視図である。
【発明を実施するための形態】
【００１５】
以下、図面を参照しながら本発明の好適な実施形態について説明する。なお、説明において、同一要素又は同一機能を有する要素には同一符号を用いることとし、重複する説明は省略する。ここでは、屋上緑化施工に使用するパネルについて説明するが、本発明に係る緑化施工用パネルの用途はこれに限定されるものではない。
【００１６】
＜緑化施工用パネル＞
図１は本実施形態に係る緑化施工用パネル１０の表面Ｆ１を示す斜視図であり、図２はパネル１０の裏面Ｆ２を示す斜視図である。図１に示すとおり、パネル１０は、略矩形のパネル本体１と、パネル本体１の表面に設けられた格子状の溝２と、パネル本体１を厚さ方向に貫通する排水孔３と、パネル本体１の表面Ｆ１に設けられた保水用凹部４とを備える。
【００１７】
パネル１０の材質としては、樹脂、木材、金属、コンクリート等を使用できる。これらのうち、軽量性の点から、樹脂及び木材が好ましく、特に軽量性、加工性及びコストの点から発泡樹脂がより好ましい。好適な具体例としてはビーズ法ポリスチレンフォームが挙げられる。ビーズ法ポリスチレンフォームを使用する場合、ポリスチレン樹脂及び炭化水素系の発泡剤からなる原料ビーズを予備発泡させた後、これを金型に充填して加熱することによって所望の形状のパネル１０を製造できる。
【００１８】
パネル１０は格子状の溝２によって区画される多数の矩形セル５を有し、具体的には図３に示すとおり、本実施形態においては縦１０個及び横１０個の計１００個の矩形セル５を有する。矩形セル５のサイズは例えば縦１００ｍｍ、横１００ｍｍとすることができる。パネル１０は、多数の矩形セル５が縦横に並んで配置された領域と、パネル１０の周縁部に設けられており隣のパネルと接続するためのジョイント部６とを備える。なお、矩形セル５の数（１００個）及びサイズ（１００ｍｍ×１００ｍｍ）はこれらの値に限定されるものではない。
【００１９】
パネル本体１の表面Ｆ１に格子状の溝２を設けたことで、この溝２にカッターの刃を入れて溝２に沿って切断すれば定規を使用しなくてもパネル１０のサイズ及び形状を簡単に調整できる。これにより、パネル１０の切断作業を効率化でき、ひいてはパネル１０の敷設作業に要する時間を短縮できる。
【００２０】
格子状の溝２は、周縁１ａ，１ｂと一致する方向に延びている。格子状の溝２は、図１の拡大図に示すとおり、パネル本体１の縦方向及び横方向に途切れることなく一方の周縁から他方の周縁まで延びる第１の溝２ａと、第１の溝２ａの手前で途切れて第１の溝２ａとは交差しない第２の溝２ｂとによって構成されている。かかる構成は、格子状の溝２に対し、切断するための機能のみならず、水を分散させる機能及び保水する機能を持たせるためのものである。隣接するパネルの第１の溝２ａ同士を連通させることで、パネル１０の第１の溝２ａに到達した水を、この溝２ａを通じて隣のパネル１０へと導水して分散させることができる（図１１参照）。他方、第２の溝２ｂは途中で途切れているため、第２の溝２ｂに到達した水を第２の溝２ｂに貯留できる。
【００２１】
２本の第１の溝２ａは、パネル本体１をそれぞれ横断及び縦断しておりパネル本体１の略中心で交差している。第１の溝２ａの開口幅（図４の幅Ｗ１）は好ましくは２〜５ｍｍであり、より好ましくは３〜４ｍｍである。開口幅Ｗ１が２ｍｍ以上であれば溝２ａにカッターの刃を入れやすく高い作業効率を確保でき、また施工後においては十分な導水性も確保できる。他方、開口幅Ｗ１が５ｍｍ以下であればパネル１０の十分な機械的強度を確保できる。第１の溝２ａの深さ（図４の幅Ｄ１）は好ましくは１〜５ｍｍであり、より好ましくは２〜５ｍｍであり、更に好ましくは２〜３ｍｍである。深さＤ１が１ｍｍ以上であればカッターによる切断作業の高い作業効率を確保でき、また施工後においては十分な導水性も確保できる。他方、深さ幅Ｄ１が５ｍｍ以下であればパネル１０の十分な機械的強度を確保できる。
【００２２】
第２の溝２ｂは、２本の第１の溝２ａによって区画された４つの領域１０Ａを更に２５個の領域（矩形セル５）にそれぞれ区画するように設けられている。縦方向及び横方向にそれぞれ延びる第２の溝２ｂ同士は互いに交差しているのに対し、第２の溝２ｂは第１の溝２ａの手前で途切れて第１の溝２ａとは交差せず、またパネル本体１の周縁１ａ，１ｂの手前でも途切れている。隣の領域１０Ａ及び隣のパネル１０と第２の溝２ｂを連通させないことで、上記のとおり、第２の溝２ｂに到達した水を第２の溝２ｂに貯留できる。
【００２３】
第２の溝２ｂの開口幅（図４の幅Ｗ２）は好ましくは２〜５ｍｍであり、より好ましくは３〜４ｍｍである。開口幅Ｗ２が２ｍｍ以上であれば溝２ｂにカッターの刃を入れやすく高い作業効率を確保でき、また施工後においては十分な保水性も確保できる。他方、開口幅Ｗ２が５ｍｍ以下であればパネル１０の十分な機械的強度を確保できる。第２の溝２ｂの深さ（図４の幅Ｄ２）は好ましくは１〜５ｍｍであり、より好ましくは２〜５ｍｍであり、更に好ましくは２〜３ｍｍである。深さＤ２が１ｍｍ以上であればカッターによる切断作業の高い作業効率を確保でき、また施工後においては十分な保水性も確保できる。他方、深さ幅Ｄ２が５ｍｍ以下であればパネル１０の十分な機械的強度を確保できる。
【００２４】
溝２（溝２ａ，２ｂ）の断面形状は特に限定されないが、図５に示すように、例えば台形、矩形、半円形、三角形、直線と円弧の組み合わせなどが挙げられる。これらのうち、金型を用いてパネル１０を作製する場合、金型製造の容易性及び金型加工時の抜き勾配の確保の点から、開口側の幅が広い台形（図５（ａ））が好ましい。溝２ａ，２ｂの断面形状を図５（ａ）に示す台形とした場合、溝の２つの側面のなす角度（図４（ａ）の角度θ）は好ましく３０〜９０°であり、より好ましくは４５〜７５°である。なお、第１の溝２ａと第２の溝２ｂは、開口幅、深さ及び形状のいずれもが同一であってもよいし、異なっていてもよい。
【００２５】
矩形セル５は、その中央部に設けられた排水孔３と、その周りに配置された４つの保水用凹部４とをそれぞれ有する。言い換えると、それぞれの矩形セル５に以下の構成のリブ構造部７が形成されるように、４つの保水用凹部４の配置及び形状が設計されている。すなわち、図１の拡大図に示すとおり、矩形セル５は、パネル本体１の表面Ｆ１において矩形セル５の対角線に沿うように延びており且つ当該対角線が交差する箇所に排水孔３を有するリブ構造部７を有する。その結果、矩形セル５の周縁部（溝２が設けられている部分）及びリブ構造部７以外の領域が保水用凹部４となっている。
【００２６】
各矩形セル５にリブ構造部７を設けたことで、厚さが比較的薄いパネル本体１を採用してもパネル１０の機械的強度を十分に高くできる。薄いパネル本体１はパネル１０の軽量化に寄与し、軽いパネル１０は特に屋上緑化施工にとって有用である。また高い機械的強度は運搬時や敷設作業時におけるパネル１０の破損を抑制する。パネル本体１の厚さ（図４の厚さＴ）は好ましくは１０〜２０ｍｍであり、より好ましくは１５〜２０ｍｍである。
【００２７】
矩形セル５は、上記のとおり、対角線が交差する箇所に排水孔３を有する。図６，７に示すとおり、排水孔３の上側開口３ａはパネル本体１の最も高い面であって溝２が存在しない部分（つまりリブ構造部７）に設けられている。これにより、水の高い分散性を達成できる。例えば、溝２を分断する位置に上側開口３ａを形成したり、表面Ｆ１にリブ構造部７よりも低い面を設けてそこに上側開口３ａを形成した場合、パネル１０に到達した水が排水孔３からすぐに裏面Ｆ２側へと流れてしまい、水の拡散が不十分となりやすい。
【００２８】
次に、図２を参照しながら、パネル１０の裏面Ｆ２の構成を説明する。パネル１０は裏面Ｆ２であって、表面Ｆ１に設けられたリブ構造部７に対応する位置に隆起部８を有する。体的には各矩形セル５はそれぞれ４つの隆起部８を有し、これらの隆起部８は矩形セル５の対角線に沿うように延びており且つ対角線上において排水孔３を挟むように設けられている。隆起部８は敷設面（不透水性シート）とパネル１０の裏面Ｆ２との間に隙間を設けるためのものである（図９参照）。隆起部８を設けたことで、排水孔３を通じてパネル１０の裏面Ｆ２側に流れ出た水の滞留を抑制できる。
【００２９】
また、図２に示すとおり、パネル１０は裏面Ｆ２に、矩形セル５の２つの隆起部８と、その隣の矩形セル５の２つの隆起部８とで囲まれた矩形の領域内に円形凹部９を有する。この円形凹部９は、パネル本体１に肉薄部を設けてパネル１０を軽量化するためのものである。パネル１０の単位面積当たりの質量は好ましくは０．２〜０．６ｋｇ／ｍ２であり、より好ましくは０．３〜０．５ｋｇ／ｍ２である。単位面積当たりの質量が０．２ｋｇ／ｍ２以上であればパネル１０の機械的強度を確保しやすく、他方、０．６ｋｇ／ｍ２以下であれば屋上緑化施工に好適である。
【００３０】
なお、作業者がパネル１０の裏表を間違えないように、図２に示すように、多数の円形凹部９のうちその一部に「ウラ」という文字を表示してもよい。凹部９の形状は円形に限定されるものではない。
【００３１】
パネル本体１の周縁部に設けられたジョイント部６も作業効率の向上に貢献する。図８に示すとおり、パネル１０の周縁に沿うように表面Ｆ１に設けられた凸部６ａと、その隣に配置すべきパネル１０の周縁に沿うように裏面Ｆ２に設けられた凹部６ｂを嵌合させることで粘着テープや接着剤を使用しなくて隣同士のパネル１０を接続できる。なお、パネル１０のサイズ調整のためにジョイント部６を切断した場合は、当該パネル１０を敷設するに際して必要に応じて粘着テープなどを使用すればよい。
【００３２】
＜緑化システム＞
本実施形態に係る緑化システム１００は、上記パネル１０を用いて屋上に芝を植えるためのものである。緑化システム１００は、図９に示すとおり、屋上の施工面Ｒ上に敷設された不透水性の耐根シート（不透水性シート）２０と、耐根シート２０上に敷設されるパネル１０と、パネル１０上に敷設される透水性シート３０と、透水性シート３０上に敷設される土壌４０と、土壌４０に植えられた芝５０とを備える。緑化システム１００はパネル１０を採用しているため、十分に短い施工期間で構築できる。
【００３３】
耐根シート２０としては、不透水性を有するシートであれば特に制限はなく、例えば、ビルマテル株式会社製のエコロベース（耐根）フィルム（商品名）を使用できる。透水性シート３０としては、透水性を有するシートであれば特に制限はなく、通常の織布や不織布を使用できる。土壌４０としては天然土壌又は人工土壌を使用でき、軽量化の点から人工軽量土壌を使用することが好ましい。人工軽量土壌の具体例として株式会社アヤハ環境開発製のＣＣソイル（商品名）、株式会社マサキ・エンヴェック社製のルーフソイル（商品名）などを例示できる。
【００３４】
緑化システム１００は、土壌４０中に埋設された灌水チューブ４５を更に備えてもよい。灌水チューブ４５は多数の貫通孔４５ａを有し、貫通孔４５ａから水が放出される。灌水チューブ４５を通じて定期的に土壌４０に水を供給することで、スプリンクラー、ホース又はじょうろによる散水が不要となる。かかる機能を有するシステムとしては株式会社タカギ製のタカギ自動灌水システムを利用できる。灌水チューブ４５を埋設する場合、灌水チューブ４５の深さは特に限定されず、図９に示すように土壌４０中であって比較的地表に近い位置であってもよいし、透水性シート３０のすぐ上であってもよい。また、緑化システム１００は、芝を植える領域を囲うように設ける縁材６０を更に備えてもよい。
【００３５】
＜緑化施工方法＞
本実施形態に係る緑化施工方法は、屋上の施工面Ｒ上に耐根シート２０を敷設する工程と、耐根シート２０上にパネル１０を敷設する工程と、パネル１０上に透水性シート３０を敷設する工程と、透水性シート３０上に土壌４０を敷設する工程と、土壌４０に芝５０を植える工程とを備える。パネル１０を敷設する工程において、施工面Ｒの大きさ又は形状がパネル１０のそのままの大きさでは対応できない場合に、パネル１０の溝２に沿ってカッターで切断することでパネル１０の大きさ及び形状を簡単に調整できる。この切断作業の効率化が図られるため、十分に短い施工期間で緑化施工を完了できる。
【００３６】
図１０は耐根シート２０上にそのままのサイズ（縦１ｍ×横１ｍ）のパネル１０を敷き詰めた状態を示す斜視図である。図１０に示した施工例では、敷き詰めたパネル１０と縁材６０との間に、約５０ｃｍの隙間Ｓ１及び約２０ｃｍの隙間Ｓ２及びの隙間が空いている。そこで、約５０ｃｍの隙間Ｓ１については、新たなパネル１０を用意し、これを第１の溝２ａで切断して幅５０ｃｍのパネル１０ａを現場で作製して敷き詰めればよい。他方、約２０ｃｍの隙間Ｓ２については、新たなパネル１０を用意し、これを第２の溝２ｂで切断して幅２０ｃｍのパネル１０ｂを現場で作製して敷き詰めればよい。かかる作業を経ることで、図１１に示すとおり、縁材６０内の略全域にパネル１０を敷き詰めることができる。
【００３７】
芝を植える領域を縁材６０で囲う場合（図１０，１１参照）、縁材６０は現場の状況に応じて適切な段階で設置すればよく、例えば耐根シート２０の敷設に先立って設けてもよいし、耐根シート２０の敷設後に設けてもよい。
【００３８】
以上、本発明の好適な実施形態について詳細に説明したが、本発明は上記実施形態に限定されるものではない。例えば、上記実施形態においては、特に好ましい形態としてパネル本体１の表面Ｆ１に格子状の溝２を設けた場合を例示したが、パネル本体１の裏面Ｆ２に溝２を設けてよい。この場合も定規を使用せずにパネル１０を切断できる。
【００３９】
また、上記実施形態においては、特に好ましい形態として格子状の溝２が２種類の溝２ａ，２ｂによって構成される場合を例示したが、カッターで効率的に切断できる限り、溝は１種類のみ又は３種類以上であってもよく、またすべての溝が互いに交差していてもよく逆に交差していなくてもよい。
【００４０】
更に、上記実施形態においては、すべての矩形セル５が排水孔３及び保水用凹部４を有する場合を例示したが、例えば一部の矩形セル５が排水孔３又は保水用凹部４を有していなくてもよい。
【００４１】
上記実施形態に係る緑化システム及び緑化施工方法においては、屋上に芝を植える場合を例示したが、施工場所は屋上に限定されず、また芝の代わりに、あるいは、芝とともに他の植物（例えばアベリアやオリーブなど）を植えてもよい。
【符号の説明】
【００４２】
１…パネル本体、１ａ，１ｂ…パネル本体の周縁、２…溝、２ａ…第１の溝、２ｂ…第２の溝、３…排水孔、４…保水用凹部、５…矩形セル、７…リブ構造部、８…隆起部、１０，１０ａ，１０ｂ…緑化施工用パネル、２０…耐根シート（不透水性シート）、３０…透水性シート、４０…土壌、５０…芝（植物）１００…緑化システムＦ１…緑化施工用パネルの表面、Ｆ２…緑化施工用パネルの裏面、Ｒ…施工面。
【図１】
2014117227.tif 000003
【図２】
2014117227.tif 000004
【図３】
2014117227.tif 000005
【図４】
2014117227.tif 000006
【図５】
2014117227.tif 000007
【図６】
2014117227.tif 000008
【図７】
2014117227.tif 000009
【図８】
2014117227.tif 000010
【図９】
2014117227.tif 000011
【図１０】
2014117227.tif 000012
【図１１】
2014117227.tif 000013